(57)【要約】【課題】  この発明は、静電破壊やユーザの違和感の原因となる静電気を防止したディスク装置を提供することを目的としている。【解決手段】  ディスクトレイが収納される電気伝導性を有する筐体と、ディスクメディアを載置し、ディスクメディアを回転させてディスクメディアに記録された情報を抽出するディスクトレイと、ディスクトレイに設けられ、筐体へ押し当てることでディスクメディア回転時に発生する振動を抑制する電気伝導性を有する押し当て部材と、押し当て部材と電気的に接続し、ディスク装置本体に設けられるベゼルとを備えるように構成するものである。【選択図】  図１
2005285244.tif 000002
【特許請求の範囲】
【請求項１】
ディスクメディアを搭載するためのディスクトレイが筐体内に移動可能に収納されるディスク装置において、
ディスクトレイが収納される電気伝導性を有する筐体と、
ディスクメディアを載置し、ディスクメディアを回転させてディスクメディアに記録された情報を抽出するディスクトレイと、
前記ディスクトレイに設けられ、前記筐体へ押し当てることで前記ディスクメディア回転時に発生する振動を抑制する電気伝導性を有する押し当て部材と、
前記押し当て部材と電気的に接続し、ディスク装置本体に設けられるベゼルとを備えることを特徴とするディスク装置。
【請求項２】
ディスクメディアを搭載するためのディスクトレイが筐体内に移動可能に収納されるディスク装置において、
ディスクトレイが収納される電気伝導性を有する筐体と、
ディスクメディアを載置し、ディスクメディアを回転させてディスクメディアに記録された情報を抽出するディスクトレイと、
前記ディスクトレイに設けられ、前記筐体へ押し当てることで前記ディスクメディア回転時に発生する振動を抑制する電気伝導性を有する押し当て部材と、
前記押し当て部材と電気的に接続し、ディスク装置本体に設けられるベゼルとを備え、前記筐体は電気的にアースを構成し、前記ベゼルに発生した静電気を前記押し当て部材を介して前記筐体へ伝導させることを特徴とするディスク装置。
【請求項３】
ディスクメディアを搭載するためのディスクトレイが筐体内に移動可能に収納されるディスク装置において、
ディスクトレイが収納される電気伝導性を有する筐体と、
ディスクメディアを載置し、ディスクメディアを回転させてディスクメディアに記録された情報を抽出するディスクトレイと、
前記ディスクトレイに設けられ、前記筐体へ押し当てることで前記ディスクメディア回転時に発生する振動を抑制する電気伝導性を有する押し当て部材と、
前記押し当て部材と電気的に接続するスイッチと、
前記スイッチと電気的に接続し、ディスク装置本体に設けられるベゼルとを備え、前記筐体は電気的にアースを構成し、前記ベゼルに発生した静電気を前記押し当て部材を介して前記筐体へ伝導させることを特徴とするディスク装置。
【請求項４】
前記ベゼルは電気伝導性を有する部材を含むことを特徴とする請求項１乃至３に記載のディスク装置。
【請求項５】
前記押し当て部材は金属を含む板バネまたはトーションバネが用いられることを特徴とする請求項１乃至４に記載のディスク装置。
【発明の詳細な説明】
【技術分野】
【０００１】
この発明は、ディスクメディアを回転させることでディスクメディアに記録されたデータの再生またはディスクメディアへデータを記録するディスク装置に関する。
【背景技術】
【０００２】
近年、ディスク装置は薄型化が望まれている。ディスク装置が薄型になればなるほどディスクメディアを回転させることで発生する振動が問題となっている。また、ユーザがディスク装置を操作する際に静電気が発生することがあり、静電破壊やユーザにとって違和感の原因となり、問題となっていた。
【０００３】
特許文献１には２箇所でドロワを押圧し、制振する技術が提案されている。しかしながら、この提案は、上記静電気の問題を解決する提案ではなかった。
【特許文献１】特開平１１−２５５５８号公報（図２、図３、図４、図５）
【発明の開示】
【発明が解決しようとする課題】
【０００４】
そこで、この発明は上記事情を考慮してなされたもので、静電破壊やユーザの違和感の原因となる静電気を防止することを目的とする。
【課題を解決するための手段】
【０００５】
この発明に係るディスク装置は、ディスクトレイが収納される電気伝導性を有する筐体と、ディスクメディアを載置し、ディスクメディアを回転させてディスクメディアに記録された情報を抽出するディスクトレイと、前記ディスクトレイに設けられ、前記筐体へ押し当てることで前記ディスクメディア回転時に発生する振動を抑制する電気伝導性を有する押し当て部材と、前記押し当て部材と電気的に接続し、ディスク装置本体に設けられるベゼルとを備えるように構成するものである。
【発明の効果】
【０００６】
上記した構成によれば、静電破壊やユーザの違和感の原因となる静電気を防止することができる。
【発明を実施するための最良の形態】
【０００７】
以下、この発明の実施の形態について図面を参照して説明する。
【０００８】
図１はこの発明の実施の形態を示すもので、ディスク装置に係るディスクトレイの外観を示す図である。
【０００９】
符号１はドロワー、符号２は底板、符号３はピックアップ、符号４はスピンドルモータ、符号５は制御用押し当て部材１、符号６は制御用押し当て部材２、符号７はトラバースメカ、符号８はベゼル（前面パネル）、符号９はスイッチ、符号１０は金属板、符号１１はＦＰＣ（フレキシブル・プリント・サーキット）である。
【００１０】
薄型のディスク装置においては、ディスクトレイの構成として、ピックアップ３、スピンドルモーター４、ピックアップの移動用の機構等で構成され、データ読み込み／書き出し行うトラバースメカ７がドロワー１に取り付けられる。
【００１１】
ＤＶＤやＣＤ等のディスクメディアを交換する際には、ディスクトレイのこの部位が前方向にせり出し、ディスクメディアをトラバースメカに対して、直接、取り付け取り外しが行われる。再生や記録時には、ドロワー１が後方向に移動し、筐体内の所定の位置に収納され、ディスクメディアを回転させる。
【００１２】
上記のように、ドロワー１は前後方向に移動可能に構成されている。このため、その摺動性を確保する為に、筐体に対してある程度のクリアランス（いわゆるガタ）を持たせている。
【００１３】
しかし、再生や記録の際に、ディスクメディアを回転させると、振動が生じる。この振動は、上記筐体に対するクリアランスに由来してノイズの原因になり、再生や記録に良くない影響を及ぼす。
【００１４】
そこで、制振（振動抑制）のために、筐体内側の２箇所にドロワー１を側面に押し当てる機構（制御用押し当て部材１、制御用押し当て部材）を設けている。
【００１５】
この発明に係るディスク装置においては、後述する筐体（シャーシ）に対してディスクトレイが、収納可能に移送されるように構成されている。
【００１６】
ディスクトレイには、前面にベゼル（前面パネル）８が形成されている。
【００１７】
ディスクトレイの移動は、ユーザの手によって駆動されるか、あるいは図示しないモータによって駆動される。ベゼル８には、スイッチ（駆動釦）９が設けられており、ディスクトレイを筐体から引き出す際のトリガとして機能するように構成されている。
【００１８】
ディスクトレイがユーザの手によって駆動されるように構成されている場合には、ディスクトレイが筐体内に収容されている状態において、ディスクトレイは、筐体に対して機械的にロックされている。ユーザがスイッチ（駆動釦）９を操作することによって、ロックが解除され、図示しないスプリングによって、ディスクトレイが所定量、筐体から突出される。また、ユーザがディスクトレイを筐体内に押し込むことによって、ディスクトレイは、筐体に対して機械的にロックする。
【００１９】
ディスクトレイの移送がモータによって駆動される場合には、ユーザがスイッチ（駆動釦）９を押すことでモータが駆動され、ディスクトレイが、筐体から引き出される。また、ディスクトレイをユーザが手で所定量押したり、スイッチ（駆動釦）９を押すことによって、モータが駆動され筐体内に収容される。
【００２０】
また、ディスクトレイには、ディスクメディアが収容されるドロワー（ディスク収容部）１と、レーザーを照射するダイオードを備えたピックアップ３が移動する溝部が設けられている。ピックアップ３は、ドロワー（ディスク収容部）１の裏面側に設けられた図示しない移送機構によって収容されたディスクの径方向に移送される。
【００２１】
ピックアップ３を用いてディスクメディアから読み出された信号は映像信号や情報信号として出力される。ここで出力された映像信号や情報信号は、特に図示しないが、液晶やブラウン管等の表示装置へ表示、あるいはパソコンなどの演算装置へ送信される。
【００２２】
すなわち、ディスクトレイが収納される筐体は電気伝導性を有している。ディスクトレイはディスクメディアを載置し、ディスクメディアを回転させ、ピックアップ３を用いてディスクメディアに記録された情報を抽出する。押し当て部材１（５）は電気伝導性を有するように構成されている。そして、押し当て部材１（５）はディスクトレイに設けられ、筐体へ押し当てられることでディスクメディア回転時に発生する振動を抑制する。スイッチ９はベゼル（前面パネル）８近傍に配置されている。ベゼル（前面パネル）８は後述するように金属を含んでおり、筐体は電気的にアースを構成し、例えばユーザー操作時にベゼル（前面パネル）８に発生した静電気を押し当て部材１（５）を介して筐体へ伝導させる構成になっている。これによりスイッチ９を起点とした静電破壊を防ぐことができる。
【００２３】
図２はこの発明の実施の形態を示すもので、ディスクトレイの構成を説明する図である。
【００２４】
上記説明と重複する構成については同一の符号を付して説明を省略する。
【００２５】
ここでは、ディスクメディアの再生またはディスクメディアへの記録のために、ディスクトレイの一部であるドロワー１が筐体内の所定の位置に収納されている。このとき、ドロワー１は筐体の奥側に設けられた板ばね等で構成される制振用押し当て部材２（６）により左方向に附勢されている。また、図面手前側の板ばねで構成される制振用部材１（５）によっても左側に附勢されている。
【００２６】
ここで、手前側の制振機構（制振用部材１（５））は一般的な薄型ドライブのサイズの都合で、ばね性を有した機構部を筐体側に設けるとディスクの出し入れによってドロワー１やディスクメディアが通過する空間を競合してしまう恐れがあるため、ドロワー１側に設置する必要がある。
【００２７】
図２で示した板ばね（制振用部材１（５））は、ドロワー１の裏側に隠れているため実際は見えないが、説明の都合上表記している。ドロワー１が筐体内に収納されているときには、筐体の凸部Ｂにより、板ばね（制振用部材１（５））はＣ方向に押し込まれる。板ばね（制振用部材１（５））は筐体を、図中Ａ方向に押し、その反力でドロワー１は筐体左方向に附勢される。これにより、ドロワー１は制振される。このとき、板ばね（制振用部材１（５））と底板２は電気的に導通の状態となる。
【００２８】
また、ベゼル（前面パネル）８にはスイッチ部９の前面を覆うように、金属板１０が配置されている。この金属板１０の一端は前記板ばね（制振用部材１（５））と、ばね性、接着、ネジ留め、ハンダ付け等の手段で、強く接触していることが望ましい（Ｄ部）。これらの構成により、金属板１０、板ばね（制振用部材１（５））、底板２は電気的に導通状態となり、例えば、ユーザーがスイッチ部９近傍に触れることで発生する静電破壊、筐体外への電磁波の漏出等の問題を低減することができる。
【００２９】
図３はこの発明の、他の実施の形態を示すもので、ディスクトレイの構成を説明する図である。
【００３０】
ここでも図３に示したトーションばね（制振用部材１（５））は、ドロワー１の裏側に構成されているため、実際には見えないが、説明の為に表記している。
【００３１】
ドロワー１が筐体内に収納されているときには、筐体の凸部Ｂにより、トーションばね（制振用部材１（５））はＣ方向に押し込まれる。ここでもトーションばね（制振用部材１（５））のばね性により、その反力でドロワー１は筐体左方向に附勢される。これによって、ドロワー１は制振される。このとき、トーションばね（制振用部材１（５））と底板２は電気的に導通の状態となる。また、ベゼル８にはスイッチ部９前面を覆うように金属板１０が配置されている。この金属板１０の一端は前記トーションばね（制振用部材１（５））と、ばね性、接着、ネジ留め、ハンダ付け等の手段で強く接触していることが望ましい（Ｄ部）。これらの構成により、金属板１０、トーションばね（制振用部材１（５））、底板２は電気的に導通状態となり、ユーザーがスイッチ部９近傍に触れる際に発生する静電破壊、筐体外への電磁波の漏出等の問題を低減することができる。
【００３２】
上記のように構成することによって、この発明においては、制振機能と自身の保持機能を一体で有している。このため、部品点数を削減できる効果があり、安価で且つ、静電破壊、筐体外への電磁波の漏出等の問題を低減する構造を提供することが可能となる。
【００３３】
なお、この発明は上記した実施の形態そのままに限定されるものではなく、実施段階ではその趣旨を逸脱しない範囲で構成要素を種々変形して具体化することができる。
【図面の簡単な説明】
【００３４】
【図１】この発明の実施の形態を示すもので、ディスク装置に係るディスクトレイの外観を示す図。
【図２】この発明の実施の形態を示すもので、ディスクトレイの構成を説明する図。
【図３】この発明の、他の実施の形態を示すもので、ディスクトレイの構成を説明する図。
【符号の説明】
【００３５】
１…ドロワー、２…底板、３…ピックアップ、４…スピンドルモータ、５…制御用押し当て部材１、６…制御用押し当て部材２、７…トラバースメカ、８…ベゼル、９…スイッチ、１０…金属板、１１…ＦＰＣ（フレキシブル・プリント・サーキット）。
【図１】
2005285244.tif 000003
【図２】
2005285244.tif 000004
【図３】
2005285244.tif 000005